(57)【要約】【課題】定格消費電力の異なる複数の放電灯を全て略一定の照度で点灯させることができる放電灯点灯装置を提供する。【解決手段】第１及び第２の駆動回路１及び２の駆動周波数が制御可能であるとともに基準部を有し検出値と基準部に記憶されている基準値とを比較し放電灯ＬＡの種類を判別する制御手段３と、放電灯ＬＡの点灯時にインバータ回路のスイッチング素子Ｑ３及びＱ４に流れる共振電流を検出する共振電流検出回路４と、を備え、共振電流検出回路４により検出された共振電流値と基準部に記憶されている所定の電流値とを比較しチョッパ回路のスイッチング素子Ｑ１及びＱ２の駆動周波数を制御することにより、接続される放電灯ＬＡに関係なく放電灯ＬＡを略一定の照度で点灯させている。【選択図】　　　　図１
2004022221.tif 000002
【特許請求の範囲】
【請求項１】
直流電源と、直流電源に接続されるとともに少なくとも一のスイッチング素子を有し直流電源からの直流電圧を所定の直流電圧に変換するチョッパ回路と、チョッパ回路に接続されるとともに少なくとも一のスイッチング素子を有し所定の直流電圧を高周波電圧に変換するインバータ回路と、インバータ回路に接続されるとともに少なくともコンデンサ及びインダクタを有し定格消費電力の異なる複数の放電灯を点灯させる共振回路と、チョッパ回路のスイッチング素子を駆動する第１の駆動回路と、インバータ回路のスイッチング素子を駆動する第２の駆動回路と、第１及び第２の駆動回路の駆動周波数が制御可能であるとともに基準部を有し検出値と基準部に記憶されている基準値とを比較し放電灯の種類を判別する制御手段と、放電灯の点灯時にインバータ回路に流れる共振電流を検出する共振電流検出回路と、を備え、共振電流検出回路により検出された共振電流値と基準部に記憶されている所定の電流値とを比較しチョッパ回路の駆動周波数を制御することにより、接続される放電灯に関係なく放電灯を略一定の照度に制御することを特徴とする放電灯点灯装置。
【請求項２】
チョッパ回路の駆動周波数を制御することに代えて、インバータ回路の駆動周波数を制御することを特徴とする請求項１記載の放電灯点灯装置。
【請求項３】
共振電流検出回路に代えて、点灯時の放電灯の両端電圧を検出する電圧検出回路を備えたことを特徴とする請求項１又は２記載の放電灯点灯装置。
【請求項４】
共振電流検出回路に代えて、放電灯の点灯時に放電灯の照度を検出する照度検出回路を備えたことを特徴とする請求項１又は２記載の放電灯点灯装置。
【請求項５】
放電灯は管長が略１２００ｍｍの直管型蛍光灯であることを特徴とする請求項１から４までに記載の放電灯点灯装置。
【請求項６】
制御手段はマイコン化されていることを特徴とする請求項１から５までに記載の放電灯点灯装置。
【発明の詳細な説明】
【０００１】
【発明の属する技術分野】
本発明は、定格消費電力の異なる複数の放電灯を全て略一定の照度で点灯させることができる放電灯点灯装置に関する。
【０００２】
【従来の技術】
この種の従来例として、たとえば、特開２００１−２６７０９０号公報のものが挙げられる。このものは、ＩＶ制御集積回路ＩＣ２の発振出力信号でスイッチング素子Ｑ２、Ｑ３をオン／オフして直流電源電圧を高周波電力に変換するインバータＩＶと、このインバータＩＶからの高周波電力で点灯し、同一器具に装着でき、かつ同一放電灯電流に対し、異なる放電灯電圧を有する複数の放電灯の内いずれかの放電灯と、基準値を設定する基準値設定手段を有し、前記複数の放電灯の電力を前記基準値に近づけるように前記ＩＶ制御集積回路の発振周波数を制御する電圧を出力するフィードバック回路ＦＢと、を備え、複数の放電灯を全て略同一の放電灯電力で点灯させるものである。
【０００３】
【発明が解決しようとする課題】
上記従来例は、主としてＦＨＦ３２、ＦＬＲ４０Ｓ及びＦＬＲ４０Ｓ／３６等の管長が略１２００ｍｍの直管型蛍光灯を対象蛍光灯とする放電灯点灯装置である。また、用途は主として非住宅である。このような放電灯点灯装置が、たとえば、非住宅のビルのオフィスや工場内で多数使用され場合において放電灯の寿命末期により放電灯を交換するときに、上記のどの放電灯も管長が略同一なので、種類の異なる放電灯が装着される場合がある。このような場合、従来例の放電灯点灯装置では、装着された放電灯に対応して該放電灯を略同一の放電灯電力で点灯させることはできるが、たとえば、ＦＨＦ３２とＦＬＲ４０Ｓとを略同一の放電灯電力で点灯させると照度が異なってしまう。このため、使用者に違和感を与えてしまうことがある。
【０００４】
また、たとえば、装着されている放電灯が全てＦＨＦ３２の場合でも、各放電灯自体のばらつきや各放電灯の経時変化に対する照度減退のばらつきにより、全ての放電灯が略同一の照度を照射しない場合があり、やはり使用者に違和感を与えてしまうことがある。
【０００５】
本発明は、上記問題点に鑑みてなしたものであり、その目的とするところは、定格消費電力の異なる複数の放電灯を全て略一定の照度で点灯させることができる放電灯点灯装置を提供することにある。
【０００６】
【課題を解決するための手段】
請求項１記載の放電灯点灯装置は、直流電源と、直流電源に接続されるとともに少なくとも一のスイッチング素子を有し直流電源からの直流電圧を所定の直流電圧に変換するチョッパ回路と、チョッパ回路に接続されるとともに少なくとも一のスイッチング素子を有し所定の直流電圧を高周波電圧に変換するインバータ回路と、インバータ回路に接続されるとともに少なくともコンデンサ及びインダクタを有し定格消費電力の異なる複数の放電灯を点灯させる共振回路と、チョッパ回路のスイッチング素子を駆動する第１の駆動回路と、インバータ回路のスイッチング素子を駆動する第２の駆動回路と、第１及び第２の駆動回路の駆動周波数が制御可能であるとともに基準部を有し検出値と基準部に記憶されている基準値とを比較し放電灯の種類を判別する制御手段と、放電灯の点灯時にインバータ回路に流れる共振電流を検出する共振電流検出回路と、を備え、共振電流検出回路により検出された共振電流値と基準部に記憶されている所定の電流値とを比較しチョッパ回路の駆動周波数を制御することにより、接続される放電灯に関係なく放電灯を略一定の照度に制御することを特徴とするものである。
【０００７】
このような放電灯点灯装置においては、制御手段が共振電流検出回路により検出された共振電流値と、制御手段内に予め記憶されており各放電灯に対応する電流値と、を比較し放電灯の種類を判別するとともにチョッパ回路の駆動周波数を制御することにより、制御手段で規定している一定の照度で放電灯を点灯させる。
【０００８】
請求項２記載の放電灯点灯装置は、請求項１記載の放電灯点灯装置において、チョッパ回路の駆動周波数を制御することに代えて、インバータ回路の駆動周波数を制御することを特徴とするものである。
【０００９】
このような放電灯点灯装置においては、請求項１記載の放電灯点灯装置のチョッパ回路の駆動周波数を制御することに代えて、インバータ回路の駆動周波数を制御し、制御手段で規定している一定の照度で放電灯を点灯させる。
【００１０】
請求項３記載の放電灯点灯装置は、請求項１又は２記載の放電灯点灯装置において、共振電流検出回路に代えて、点灯時の放電灯の両端電圧を検出する電圧検出回路を備えたことを特徴とするものである。
【００１１】
このような放電灯点灯装置においては、制御手段が電圧検出回路により検出された電圧値と、制御手段内に予め記憶されており各放電灯に対応する電圧値と、を比較し放電灯の種類を判別するとともにチョッパ回路の駆動周波数又はインバータ回路の駆動周波数を制御することにより、制御手段で規定している一定の照度で放電灯を点灯させる。
【００１２】
請求項４記載の放電灯点灯装置は、請求項１又は２記載の放電灯点灯装置において、共振電流検出回路に代えて、放電灯の点灯時に放電灯の照度を検出する照度検出回路を備えたことを特徴とするものである。
【００１３】
このような放電灯点灯装置においては、制御手段が照度検出回路により検出された照度と、制御手段内に予め記憶されており各放電灯に対応する照度と、を比較し放電灯の種類を判別するとともにチョッパ回路の駆動周波数又はインバータ回路の駆動周波数を制御することにより、制御手段で規定している一定の照度で放電灯を点灯させる。
【００１４】
請求項５記載の放電灯点灯装置は、請求項１から４までに記載の放電灯点灯装置において、放電灯は管長が略１２００ｍｍの直管型蛍光灯であることを特徴とするものである。
【００１５】
請求項６記載の放電灯点灯装置は、請求項１から５までに記載の放電灯点灯装置において、制御手段はマイコン化されていることを特徴とするものである。
【００１６】
【発明の実施の形態】
（実施例１）
以下、本発明の第１の実施の形態を図１から図４までを参照して説明する。図１は本実施の形態の回路図を示しており、図２は各種放電灯の電気特性を示している。また、図３は各種放電灯が始動から安定点灯するまでの共振電流の変化を示しており、図４は本実施の応用形態の回路図を示している。
【００１７】
図１に示す放電灯点灯装置は、直流電源（交流電源ＡＣ、コンデンサＣ１、フィルタＬＦ１及び整流回路ＤＢ）と、直流電源に接続されるとともに少なくとも一のスイッチング素子を有し直流電源からの直流電圧を所定の直流電圧に変換するチョッパ回路（スイッチング素子Ｑ１、Ｑ２、ダイオードＤ１、Ｄ２及びインダクタＬ１）と、チョッパ回路の出力電圧Ｖｄｃを平滑するコンデンサＣ３と、チョッパ回路に接続されるとともに少なくとも一のスイッチング素子を有し所定の直流電圧Ｖｄｃを高周波電圧に変換するインバータ回路（スイッチング素子Ｑ３及びＱ４）と、インバータ回路に接続されるとともに少なくともコンデンサ及びインダクタを有し定格消費電力の異なる複数の放電灯ＬＡを点灯させる共振回路（共振用インダクタＬ２及び共振用コンデンサＣ６）と、直流遮断コンデンサＣ４と、チョッパ回路のスイッチング素子Ｑ１及びＱ２を駆動する第１の駆動回路１と、インバータ回路のスイッチング素子Ｑ３及びＱ４を駆動する第２の駆動回路２と、第１及び第２の駆動回路の駆動周波数が制御可能であるとともに基準部を有し検出値と基準部に記憶されている基準値とを比較し放電灯の種類を判別する制御手段３（タイマ回路７、コンパレータＣＰ１からＣＰ３、ＮＰＮトランジスタＱ５からＱ８、ダイオードＤ３、コンデンサＣ８及び抵抗Ｒ１、Ｒ２、Ｒ４からＲ８）と、放電灯ＬＡの点灯時にインバータ回路に流れる共振電流を検出する共振電流検出回路４（ダイオードＤ４と抵抗Ｒ３）と、を備えている。
【００１８】
以下、各部の構成を詳述する。
【００１９】
直流電源は、交流電源ＡＣと、入力フィルタ回路であるコンデンサＣ１及びフィルタＬＦ１と、整流回路ＤＢと、から構成されている。
【００２０】
交流電源ＡＣは、商用の交流電源であり、電圧は、たとえば、１００Ｖ、２００Ｖ又は２４０Ｖである。
【００２１】
入力フィルタ回路は、交流電源ＡＣからの雑音をインバータ回路に侵入するのを防止したり、あるいは逆に、インバータ回路からの雑音が電源側に漏れるのを防止するものである。
【００２２】
整流回路ＤＢは、交流電源ＡＣからの交流電圧を脈流電圧に整流し出力するものであり、たとえば、ダイオードブリッジで構成する。交流電源ＡＣの電圧が１００Ｖの場合、ダイオードブリッジの代わりに、たとえば、倍電圧整流回路を用いてもよい。倍電圧整流回路を用いると、交流電源ＡＣの電圧が実質的に２００Ｖと同等とみなせ、倍電圧整流回路以後に接続されている回路に流れる電流が、ダイオードブリッジを用いた場合と比べ約半分となるので、放電灯点灯装置の効率を上げることができる。
【００２３】
チョッパ回路は、スイッチング素子Ｑ１及びＱ２と、ダイオードＤ１及びＤ２と、インダクタＬ１と、から構成されている。
【００２４】
このチョッパ回路は、整流回路ＤＢからの直流電圧を所定の直流電圧Ｖｄｃに変換するものであり、本実施の形態では、昇降圧チョッパ回路を採用している。もちろんチョッパ回路は、その他昇圧チョッパ、降圧チョッパ回路であっても構わない。要は、ある直流電圧を別の直流電圧に変換するものであれば、どのような回路構成でも構わない。
【００２５】
コンデンサＣ３は、チョッパ回路の所定の直流電圧Ｖｄｃを平滑するものであり、たとえば、電解コンデンサで構成する。
【００２６】
インバータ回路は、コンデンサＣ３からの直流電圧Ｖｄｃをスイッチング素子Ｑ３及びＱ４のオン／オフ動作により矩形波電圧に変換するものであり、スイッチング素子Ｑ３及びＱ４は、たとえば、電界効果トランジスタで構成する。インバータ回路として本実施の形態では、いわゆるハーフブリッジ型のインバータ回路を採用している。もちろんインバータ回路は、その他フルブリッジ型、１石型、あるいは、プッシュプル型であってもよい。
【００２７】
共振回路は、インダクタＬ２とコンデンサＣ６との直列共振回路の共振動作により定格消費電力の異なる複数の放電灯ＬＡを予熱／始動／点灯させるものである。ここで放電灯ＬＡは、ＦＨＦ３２、ＦＬＲ４０Ｓ及びＦＬＲ４０Ｓ／３６等の管長が略１２００ｍｍであり、主に非住宅の設備に用いられる直管型蛍光灯である。また、本実施の形態では、トランス等を設けずに、インバータ回路と共振回路とを接続している。ここで、放電灯ＬＡの定格放電灯電圧が大きい場合には、リーケージトランス等を別途設け、インバータ回路と共振回路とを絶縁してもよい。あるいは、インダクタと絶縁トランスとを設け、インバータ回路と共振回路とを絶縁してもよい。
【００２８】
直流遮断コンデンサＣ４は、インバータ回路に流れる共振電流の直流成分を遮断するものであり、このコンデンサＣ４の機能によりインバータ回路は交流電圧でのみ動作することになる。コンデンサＣ４の容量は、通常はコンデンサＣ６の容量よりも大きく設定されている。
【００２９】
第１の駆動回路１は、スイッチング素子Ｑ１及びＱ２の駆動周波数を制御するものである。第１の駆動回路の具体的な回路構成としては、たとえば、モトローラ社製の集積回路ＭＣ３４２６１を用いてもよい。
ここで図１に示すＭＣ３４２６１の１番ピンは、スイッチング素子Ｑ１及びＱ２の駆動周波数を決定するピンである。
【００３０】
第２の駆動回路２は、スイッチング素子Ｑ３及びＱ４の駆動周波数を制御するものである。第２の駆動回路の具体的な回路構成としては、たとえば、インターナショナルレクティファイアー社製の高耐圧集積回路ＩＲ２１１０を用いてもよい。
【００３１】
本実施の形態の要部である制御手段３は、タイマ回路７、コンパレータＣＰ１からＣＰ３、ＮＰＮトランジスタＱ５からＱ８、ダイオードＤ３、コンデンサＣ８及び抵抗Ｒ１、Ｒ２、Ｒ４からＲ８までにより構成されている。
【００３２】
抵抗Ｒ４、Ｒ５、ダイオードＤ３及びコンデンサＣ８は、後述する共振電流検出回路４からの脈流電流を平滑するものである。
【００３３】
コンパレータＣＰ１からＣＰ３は、ダイオードＤ３のカソード電位が各コンパレータの基準電圧Ｖｒｅｆ（１）からＶｒｅｆ（３）をそれぞれ超えるとハイ信号を出力し、各トランジスタＱ６からＱ８をオンさせるものである。本実施の形態においては、コンパレータＣＰ１からＣＰ３は同一のものを使用しており、各コンパレータＣＰ１からＣＰ３の非反転入力に入力される基準電圧Ｖｒｅｆ（１）からＶｒｅｆ（３）の関係は、Ｖｒｅｆ（３）＞Ｖｒｅｆ（２）＞Ｖｒｅｆ（１）を満たしている。また、トランジスタＱ６のみがオンした状態では、第１の駆動回路１の１番ピンに抵抗Ｒ１、Ｒ２及びＲ６の分圧比で決まる電圧が印加され、スイッチング素子Ｑ１及びＱ２は駆動周波数ｆ（１）で動作し、この駆動周波数ｆ（１）により、ＦＨＦ３２をある既定照度（たとえば、３２００ｌｍ）で点灯させるものとする。さらにまた、トランジスタＱ６及びＱ７が同時にオンした状態では、第１の駆動回路１の１番ピンに抵抗Ｒ１、Ｒ２、Ｒ６及びＲ７の分圧比で決まる電圧が印加され、スイッチング素子Ｑ１及びＱ２は駆動周波数ｆ（２）で動作し、この駆動周波数ｆ（２）により、ＦＬＲ４０Ｓをある既定照度で点灯させる。さらに、トランジスタＱ６、Ｑ７及びＱ８が同時にオンした状態では、第１の駆動回路１の１番ピンに抵抗Ｒ１、Ｒ２、Ｒ６、Ｒ７及びＲ８の分圧比で決まる電圧が印加され、スイッチング素子Ｑ１及びＱ２は駆動周波数ｆ（３）で動作し、この駆動周波数ｆ（３）により、ＦＬＲ４０Ｓ／３６をある既定照度で点灯させるものとする。
【００３４】
タイマ回路７は、放電灯ＬＡが予熱／始動モードのときにハイ信号を出力し、トランジスタＱ５をオンさせるものである。すなわち、放電灯ＬＡが予熱／始動モードのときにはトランジスタＱ６からＱ８のベース電位は略ゼロとなっている。ここで第１の駆動回路１を介したスイッチング素子Ｑ１及びＱ２は、始動モードから点灯モードに移行した後には抵抗Ｒ１及びＲ２で決まる駆動周波数ｆ（０）で動作するものとする。また、本実施の形態では、タイマ回路７としてシグネティクス社製の８ピンタイプのＩＣであるＮＥ５５５を使用している。このＮＥ５５５の動作は周知なので詳しい動作説明は省略するが、タイマ時間は、６番ピン（図示しない）のスレッシュホールド電圧がタイマ回路７の電源電圧である８番ピン（図示しない）の電圧の２／３を超えると終了する。
【００３５】
共振電流検出回路４は、コンデンサＣ６に流れる共振電流の大小を検出するものであり、コンデンサＣ６の一端と直列に接続されるダイオードＤ４と抵抗Ｒ３との直列回路から構成されている。ここで、図２に示すように放電灯ＬＡが点灯モードに移行した数分間（たとえば１〜１０分間）において、各放電灯に流れる電流は０．２Ａと略同一であるが、共振電流はＦＨＦ３２の共振電流＜ＦＬＲ４０Ｓの共振電流＜ＦＬＲ４０Ｓ／３６の共振電流となる。そして、この共振電流の一部がダイオードＤ４を介して制御手段３に流れ込み、コンデンサＣ８により平滑されて、ダイオードＤ３のカソード側には直流電圧が発生する。
【００３６】
つぎに、本実施の形態の動作を図１又は図３を参照して説明する。
【００３７】
いま、放電灯点灯装置に放電灯ＬＡとしてＦＬＲ４０Ｓ／３６が装着された状態で交流電源ＡＣが投入された場合を考える。図３において、ｔ＝０にて交流電源ＡＣを投入すると、第１の駆動回路１及び第２の駆動回路２に電源が供給され、スイッチング素子Ｑ１からＱ４がそれぞれスイッチング動作を開始する。同時に、タイマ回路７はハイ信号を出力し、トランジスタＱ５をオンする。
【００３８】
このときのスイッチング素子Ｑ１からＱ４までの予熱／始動／点灯の駆動周波数はＦＨＦ３２、ＦＬＲ４０Ｓ等の放電灯ＬＡの種類にかかわらず、それぞれのモードで所定の周波数に初期設定されている。そして、スイッチング素子Ｑ１及びＱ２のスイッチング動作により、整流回路ＤＢからの脈流電圧が直流電圧に変換され、コンデンサＣ３の両端に直流電圧Ｖｄｃが発生する。このインバータ回路への入力電源である直流電圧Ｖｄｃは、スイッチング素子Ｑ３及びＱ４のスイッチング動作により、４０〜１００ｋＨｚ程度の高周波電圧に変換され、放電灯ＬＡを予熱／始動／点灯させる。始動モードが終了した状態でタイマ回路７はロー信号を出力し、トランジスタＱ５はオフする。
【００３９】
ＦＬＲ４０Ｓ／３６の共振電流は、安定点灯するまでの数分間に徐々に上昇する。ここでまず、ｔ＝ｔ１にてＦＬＲ４０Ｓ／３６の共振電流に比例するダイオードＤ３のカソード電圧が基準電圧Ｖｒｅｆ（１）を超えると、コンパレータＣＰ１がオンする。するとトランジスタＱ６がオンし、ＦＬＲ４０Ｓ／３６は抵抗Ｒ１、Ｒ２及びＲ６の分圧比で決まる駆動周波数ｆ（１）による直流電圧Ｖｄｃ（１）で点灯する。さらに時間が経過しｔ＝ｔ２になると、ダイオードＤ３のカソード電圧が基準電圧Ｖｒｅｆ（２）を超え、トランジスタＱ６及びＱ７が同時にオンし、ＦＬＲ４０Ｓ／３６は抵抗Ｒ１、Ｒ２、Ｒ６及びＲ７の分圧比で決まる駆動周波数ｆ（２）による直流電圧Ｖｄｃ（２）で点灯する。そしてさらに時間が経過しｔ＝ｔ３になると、ダイオードＤ３のカソード電圧が基準電圧Ｖｒｅｆ（３）を超え、トランジスタＱ６からＱ８までが同時にオンし、ＦＬＲ４０Ｓ／３６は抵抗Ｒ１、Ｒ２、Ｒ６、Ｒ７及びＲ８の分圧比で決まるによる直流電圧Ｖｄｃ（３）で点灯する。この駆動周波数ｆ（３）は上述したようにＦＬＲ４０Ｓ／３６をある既定照度で点灯するように設定されているので、ＦＬＲ４０Ｓ／３６は以後この駆動周波数ｆ（３）で安定点灯するのである。
【００４０】
つぎに交流電源ＡＣを投入する前にＦＬＲ４０Ｓが装着されている場合には、図３に示すようにダイオードＤ３のカソード電圧は基準電圧Ｖｒｅｆ（３）を超えることはなく、ＦＬＲ４０Ｓは抵抗Ｒ１、Ｒ２、Ｒ６及びＲ７の分圧比で決まる駆動周波数ｆ（２）による直流電圧Ｖｄｃ（２）で点灯することになる。そしてこの駆動周波数ｆ（２）は上述したようにＦＬＲ４０Ｓをある既定照度で点灯するように設定されているので、ＦＬＲ４０Ｓは以後この駆動周波数ｆ（３）で安定点灯する。
【００４１】
さらに、交流電源ＡＣを投入する前にＦＨＦ３２が装着されている場合には、図３に示すようにダイオードＤ３のカソード電圧は基準電圧Ｖｒｅｆ（２）を超えることはなく、ＦＨＦ３２は抵抗Ｒ１、Ｒ２及びＲ６の分圧比で決まる駆動周波数ｆ（１）による直流電圧Ｖｄｃ（１）で点灯することになる。そしてこの駆動周波数ｆ（１）は上述したようにＦＨＦ３２をある既定照度で点灯するように設定されているので、ＦＨＦ３２は以後この駆動周波数ｆ（３）で安定点灯する。
【００４２】
すなわち、放電灯点灯装置にＦＨＦ３２、ＦＬＲ４０Ｓ又はＦＬＲ４０Ｓ／３６の何れの放電灯が装着された場合にでも該放電灯を既定照度で点灯することができる。
【００４３】
ここで、制御手段３として図４に示すようにマイコンを用いてもよい。すなわち、マイコンのプログラムを設定し、上述のような動作を行わせるのである。
【００４４】
この種のマイコンとして本実施の形態では、演算回路（ＣＰＵ）、メモリ及びインターフェイス回路等を備えたＳＴマイクロエレクトロニクス社製のＳＴ７２Ｇシリーズを用いている。このようなマイコンを用いると、プログラムを設定するだけで上述した動作を簡単に行わすことができる。
【００４５】
また、上記実施の形態では、第１の駆動回路１を制御しスイッチング素子Ｑ１及びＱ２の駆動周波数を制御したのだが、もちろん、第２の駆動回路２を制御しスイッチング素子Ｑ３及びＱ４の駆動周波数を制御してもよい。
【００４６】
さらに、上記実施の形態では放電灯ＬＡが点灯モードに移行した数分間における共振電流を検出したが、もちろん、放電灯ＬＡが安定点灯したときの共振電流を検出しても構わないし、始動モードの共振電流を検出しても構わない。
【００４７】
以上本実施の形態によれば、定格消費電力の異なる複数の放電灯を全て略一定の照度で点灯させることができるので、種類の異なる放電灯が装着された場合にでも、使用者に違和感を与えることがなくなる。
（実施例２）
以下、本発明の第２の実施の形態を図５及び図６を参照して説明する。ここで、第１の実施の形態と同一構成には同一符号を付すことにより説明を省略する。図５は本実施の形態の回路図を示しており、図６は放電灯が始動から安定点灯するまでの放電灯の両端電圧の変化を示している。
【００４８】
図５に示す放電灯点灯装置の一部と図１に示した放電灯点灯装置との相違点は、図５では図１の共振電流検出回路４の代わりにコンデンサＣ３と抵抗Ｒ３とから構成される電圧検出回路５を設けた点である。そして本実施の形態では、図６に示すように放電灯ＬＡが安定点灯するまでの数分間に徐々に上昇する放電灯の両端の電圧を検出するのである。すなわち、図６に示すように放電灯ＬＡが点灯モードに移行した数分間において、各放電灯の両端電圧は、ＦＨＦ３２の両端電圧＞ＦＬＲ４０Ｓの両端電圧＞ＦＬＲ４０Ｓ／３６の両端電圧となっており、この電圧差により放電灯ＬＡの種類を判別し、第１の実施の形態と同様の方法により、定格消費電力の異なる複数の放電灯を全て略一定の照度で点灯させるのである。
【００４９】
このように各放電灯の両端電圧の差異で放電灯ＬＡの種類を判別し、定格消費電力の異なる複数の放電灯を全て略一定の照度で点灯させることもできる。
【００５０】
なお、上記説明で特に言及していない回路構成、作用、効果等は第１の実施の形態と同様である。
（実施例３）
以下、本発明の第３の実施の形態を図７及び図８を参照して説明する。ここで、第１の実施の形態と同一構成には同一符号を付すことにより説明を省略する。図７は本実施の形態の回路図を示しており、図８は放電灯が始動から安定点灯するまでの放電灯の照度の変化を示している。図７に示す放電灯点灯装置の一部と図１に示した放電灯点灯装置との相違点は、図７では図１の共振電流検出回路４の代わりにダイオードＤ４と光導電素子Ｃｄ（たとえば、硫化カドミウムを主成分とする光導電素子）とから構成される照度検出回路６を設けた点である。ここで光導電素子Ｃｄは、たとえば、照明器具の反射板（図示しない）の放電灯ＬＡと対向する位置に取付けられ、放電灯ＬＡからの照度を検出するものである。もちろん、放電灯ＬＡからの照度が検出できる位置であれば、照明器具の反射板でなくてもよい。
【００５１】
そして本実施の形態では、図８に示すように放電灯ＬＡが安定点灯するまでの数分間に徐々に上昇する放電灯の照度を検出するのである。すなわち、図８に示すように放電灯ＬＡが点灯モードに移行した数分間において、各放電灯の照度は、ＦＨＦ３２の照度＞ＦＬＲ４０Ｓの照度＞ＦＬＲ４０Ｓ／３６の照度となっており、この照度差を第１の実施の形態と同様の方法により、定格消費電力の異なる複数の放電灯を全て略一定の照度で点灯させるのである。
【００５２】
このように各放電灯の照度の差異で放電灯ＬＡの種類を判別し、定格消費電力の異なる複数の放電灯を全て略一定の照度で点灯させることもできる。
【００５３】
なお、上記説明で特に言及していない回路構成、作用、効果等は第１の実施の形態と同様である。
【００５４】
ここで、第１から第３の実施の形態では、共振電流、放電灯の両端電圧又は放電灯の照度をそれぞれ検出したが、その他の電気特性、たとえば、放電灯の消費電力、発光効率（ルーメン毎ワット）、放電灯の光学特性（色温度、輝度又は光度）、あるいは放電灯の温度特性（最冷点温度、管壁温度又は口金温度）を検出してもよい。要は、放電灯の定格電力が異なることにより、他の放電灯と差別化できる特性あれば、いかなる特性を検出してもよい。
【００５５】
【発明の効果】
請求項１から６までに記載の放電灯点灯装置は、放電灯点灯装置が第１及び第２の駆動回路の駆動周波数が制御可能であるとともに基準部を有し検出値と基準部に記憶されている基準値とを比較し第１又は第２の駆動回路の駆動周波数を制御する制御手段と、共振電流検出回路、電圧検出回路又は照度検出回路と、を備えているので、制御手段が各共振電流、放電灯の両端電圧又は放電灯の照度の検出値と、制御手段内に予め記憶されており各放電灯に対応する基準値と、を比較し放電灯の種類を判別するとともにチョッパ回路の駆動周波数又はインバータ回路の駆動周波数を制御することにより、制御手段で規定している一定の照度で放電灯を点灯させることができる。
【図面の簡単な説明】
【図１】第１の実施の形態を示す回路図である。
【図２】各種放電灯の電気特性を示すデータである。
【図３】放電灯が始動から安定点灯するまでの共振電流の変化を示す特性図である。
【図４】本実施の応用形態を示す回路図である。
【図５】第２の実施の形態を示す回路図である。
【図６】放電灯が始動から安定点灯するまでの放電灯の両端電圧の変化を示す特性図である。
【図７】第３の実施の形態を示す回路図である。
【図８】放電灯が始動から安定点灯するまでの放電灯の照度の変化を示す特性図である。
【符号の説明】
ＡＣ　　　　　　　　　　交流電源（直流電源の一部）
Ｃ１、Ｃ２　　　　　　　コンデンサ（直流電源の一部）
ＬＦ１　　　　　　　　　フィルタ（直流電源の一部）
ＤＢ　　　　　　　　　　整流回路（直流電源の一部）
Ｑ１、Ｑ２　　　　　　　スイッチング素子（チョッパ回路の一部）
Ｄ１、Ｄ２　　　　　　　ダイオード（チョッパ回路の一部）
Ｌ１　　　　　　　　　　インダクタ（チョッパ回路の一部）
Ｑ３、Ｑ４　　　　　　　スイッチング素子（インバータ回路）
Ｌ２　　　　　　　　　　インダクタ（共振回路の一部）
Ｃ６　　　　　　　　　　コンデンサ（共振回路の一部）
ＬＡ　　　　　　　　　　放電灯
１　　　　　　　　　　　第１の駆動回路
２　　　　　　　　　　　第２の駆動回路
Ｖｒｅｆ（１）〜（３）　基準部
３　　　　　　　　　　　制御手段
４　　　　　　　　　　　共振電流検出回路
５　　　　　　　　　　　電圧検出回路
６　　　　　　　　　　　照度検出回路
【図１】
2004022221.tif 000003
【図２】
2004022221.tif 000004
【図３】
2004022221.tif 000005
【図４】
2004022221.tif 000006
【図５】
2004022221.tif 000007
【図６】
2004022221.tif 000008
【図７】
2004022221.tif 000009
【図８】
2004022221.tif 000010